(57)【要約】【課題】音声認識による文書作成が不可能であった部分や誤った変換をされたと思われる場所を素早く見つけ、容易にその部分に相当する音声を再生可能とし、修正・編集作業が容易な文書自動作成装置を提供すること。【解決手段】音声入力部と、音声入力部からの音声信号を文字符号に変換する音声認識部と、該文字符号を文書に変換すると共に、録音部分との時間的対応をとるための情報を記録し、文書を作成する文書作成部と、該文書作成部からの文書を出力する文書出力部と、該音声入力部からの音声信号を録音するための録音装置と、該録音装置の再生音を出力するための操作をして、該文書の編集をおこなうための操作部により構成される。【選択図】        図１
2004191616.tif 000002
【特許請求の範囲】
【請求項１】
音声を文字変換して文書を作成する文書自動作成装置において、入力された音声を文字符号に変換する手段と、変換された文字を文書化する手段と、入力された音声を録音する手段と、文書化された部分と録音部分の対応を記録する手段と、作成された文書中の文字列を指定し、対応する録音部分の再生操作をし、該文書の編集をおこなう手段を備えたことを特徴とする文書自動作成装置。
【請求項２】
請求項１記載の文書自動作成装置において、
該録音手段は２つあるいはそれ以上の音声入力に対し複数の音声トラックを有することを特徴とする文書自動作成装置。
【発明の詳細な説明】
【０００１】
【発明の属する技術分野】
本発明は音声認識により議事録等の文書を作成する文書自動作成装置に関するものである。
【０００２】
【従来の技術】
従来の文書自動作成装置の例を図５に示す。同図において、マイクロフォンや録音された音声の再生機器から音声入力部１に入力された音声を音声認識部２で文字符号に変換し、文書作成部３で文書として予め決められた書式に従って文書化し、これを文書出力４より出力する。
【０００３】
【発明が解決しようとする課題】
しかしながら、上記従来例では、音声が不明瞭だったり、ノイズが多かったり或いは、複数人数が一度に話をした場合に、正確に文書に変換する事が難しく、誤った文書として変換されても、後で正確に修正するのは困難であった。また、音声認識すると共に音声を録音しておいた場合においても、必要な部分を直ぐに見つけて再生する事は困難であるという欠点があった。
【０００４】
本発明は、音声認識による文書作成が不可能であった部分や誤った変換をされたと思われる場所を素早く見つけ、容易にその部分に相当する音声を再生可能とし、修正・編集作業を容易にすることを目的とする。
【０００５】
【課題を解決するための手段】
上記目的を達成するために、本出願に係る第１の発明は、音声を入力するための音声入力部と、該音声入力部からの音声信号を受け、文字符号に変換する音声認識部と、該音声認識部からの文字符号を文書に変換すると共に、録音部分との時間的対応をとるための情報を記録し、文書を作成する文書作成部と、該文書作成部からの文書を出力する文書出力部と、該音声入力部からの音声信号を録音するための録音装置と、該録音装置の再生音を出力するための音声出力部と、作成された文書の文字列を指定し、対応する録音部分の再生のための操作をして、該文書の編集をおこなうための操作部を備えることを特徴とする。
【０００６】
本出願に係る第２の発明は、音声を入力するための２つ或いはそれ以上の音声入力部と、該音声入力部からの音声信号を受け、それぞれの音声信号に対応した文字符号に変換をおこなう音声認識部と、該音声認識部からの２つあるいはそれ以上の文字符号を文書に変換すると共に、それぞれの音声入力に対応するトラックの録音部分との時間的対応をとるための情報を記録し、文書を作成する文書作成部と、該文書作成部からの文書を出力する文書出力部と、該音声入力部からの音声信号を録音するための２つ或いはそれ以上のトラックを有する録音装置と、該録音装置の再生音を出力するための音声出力部と、作成された文書中の文字列を指定し、トラックと時間が対応する録音部分の再生のための操作をして、該文書の編集をおこなうための操作部を備えることを特徴とする。
【０００７】
【発明の実施の形態】
（実施例）
（第１の実施例）
図１は本発明の特徴を最もよく表す図面であり、同図において１は音声認識部と録音装置に接続され、音声を入力するための音声入力部、２は音声入力部１からの音声信号を受け、文字符号を文書作成３へ出力する音声認識部、４は文書作成部３からの文書を出力する文書出力部、５は音声入力部１からの音声信号を録音する録音装置、７は録音装置５の再生音を出力する音声出力部、６は該文書作成部３に対し作成された文書の文字列を指定し、該録音装置５に対し対応する録音部分の再生のための制御信号を送り、さらに該文書作成部３に対し該文書の編集をおこなうための操作部である。
【０００８】
次に、上記構成において、音声入力部１に入力された音声は音声信号として音声認識部２と録音装置５に出力する。該音声認識部２は入力された該音声信号を文字符号に変換して文書作成部３に出力する。該文書作成部３は該文字符号を文書に変換し文書出力部４より出力する。さらに該文書作成部３では文書中の文字列と、該文字列が音声認識されたもととなる録音部分の対応をとるための情報を記録する。音声入力部１からの音声信号は録音装置５により録音される。操作部６により、文書作成部３に対し作成された文書中の特定の文字列を指定し、録音装置５に対し該指定した文字列を再生する操作をおこなうことで、文書作成部３で作成された文書中の任意の文字列に対応するもととなる音声を、音声出力部７を通して再生する。
【０００９】
図２は文書出力例であり、［例１］から［例５］において、＊は音声認識部２で音声認識ができなかったことを表示している例である。同図において、Ｉはカーソル位置で再生したい部分の先頭位置を示した例で、再生を行いたい場合には再生操作をおこなうことで、この部分からあるいは、予め設定しておいた一定時間手前から以降が再生される。再生を終了する場所は指定した文字列の最後、指定した文字列の最後から予め設定した一定時間、録音された音声の最後あるいは、操作部から停止のための操作をした時まで等のモードを予め設定しておくことで決められる。同図において、 部分（アンダーライン部分）は指定された文字列を示している例で、再生を行いたい場合には再生操作をおこなうことで、＿＿＿の先頭部分からあるいは、予め設定しておいた一定時間手前から以降が再生される。
【００１０】
音声入力部１はマイクロフォン装置だけでなく、他の録音装置で録音したものを再生して入力するなどの構成でもよい。
【００１１】
再生のための上述した一連の操作は、入力音声の音声認識による文書変換や録音装置による入力音声の録音中においても操作可能とすることもできる。
【００１２】
以上説明したように、音声認識による文書自動作成において、認識が不可能であった部分あるいは、誤った文書変換をされた部分を文書中の文字列で指定し、もととなる音声を簡単に再生可能とすることで修正・編集作業が容易な文書自動作成装置を提供することが可能である。
【００１３】
（第２の実施例）
図３は第２の実施例を説明する図面であり、同図において１ａと１ｂは音声認識部と録音装置に接続され、音声を入力するための音声入力部、２は音声入力部１ａと１ｂからの音声信号を受け、文字符号を文書作成３へ出力する音声認識部、４は文書作成部３からの文書を出力する文書出力部、５は音声入力部１ａと１ｂからの音声信号を録音する録音装置、７は録音装置５の再生音を出力する音声出力部、６は該文書作成部３に対し作成された文書中の文字列を指定し、該録音装置５に対し対応する録音部分の再生のための制御信号を送り、さらに該文書作成部３に対し該文書の編集をおこなうための操作部である。
【００１４】
次に、上記構成において、音声入力部１ａと１ｂに入力された音声は音声信号として音声認識部２と録音装置５に出力する。該音声認識部２は入力された該音声信号をそれぞれの該音声入力部に対応した文字符号として変換し、文書作成部３に出力する。該文書作成部３はそれぞれの該音声入力部に対応した文字符号を文書に変換し文書出力部４より出力する。さらに該文書作成部３では文書中の文字列と、該文字列が音声認識されたもととなる録音部分の対応をとるための情報を記録する。音声入力部１ａと１ｂからの音声信号は録音装置５にそれぞれ別の専用トラックに録音される。操作部６により、文書作成部３に対し作成された文書中の特定の文字列を指定し、録音装置５に対し該指定した文字列を再生する操作をおこなうことで、文書作成部３で作成された文書中の任意の文字列に対応するもととなる音声を、音声出力部７を通して再生する。
【００１５】
図４は文書出力例であり、（音声１）と（音声２）で同時に音声が入力されている部分においては、音声が入力された時間関係が分かるような表示となっている。同図の［例１］と［例２］において、□で囲った部分は指定された文字列を示している例で、再生を行いたい場合には再生操作をおこなうことで、□の先頭部分からあるいは、予め設定しておいた一定時間手前から以降が再生される。再生を終了する場所は指定した文字列の最後、指定した文字列の最後から予め設定した一定時間、録音された音声の最後あるいは、操作部から停止のための操作をした時まで等のモードを予め設定しておく。再生されるトラックは指定された文字列を含むトラックであるが、他のトラックを同時に再生する設定にすることも可能である。
【００１６】
再生のための上述した一連の操作は、入力音声の音声認識による文書変換や録音装置による入力音声の録音中においても操作可能とすることもできる。
【００１７】
この実施例では音声入力数を２つとしているが、３つあるいはそれ以上にすることも可能である。
【００１８】
以上説明したように、音声入力数が複数ある場合には、それぞれ独立した音声認識処理及び録音ができるため、複数の人間が同時に話をした時の修正・編集作業が容易な文書自動作成装置を提供することが可能である。
【００１９】
【発明の効果】
以上説明したように、本発明によれば、音声認識による文書作成が不可能であった部分や誤った変換をされたと思われる場所を素早く見つけ、容易にその部分に相当する音声を再生可能とし、修正・編集作業が容易な文書自動作成装置を提供することができる。
【図面の簡単な説明】
【図１】本発明の第１の実施例に係る文書自動作成装置を説明するブロック図である。
【図２】本発明の第１の実施例に係る文書自動作成装置を説明する文書出力例である。
【図３】本発明の第２の実施例に係る文書自動作成装置を説明するブロック図である。
【図４】本発明の第２の実施例に係る文書自動作成装置を説明する文書出力例である。
【図５】従来の文書自動作成装置を説明するブロック図である。
【符号の説明】
１    音声入力部
１ａ  音声入力部ａ
１ｂ  音声入力部ｂ
２    音声認識部
３    文書作成部
４    文書出力部
５    録音装置
６    操作部
７    音声出力部
【図１】
2004191616.tif 000003
【図２】
2004191616.tif 000004
【図３】
2004191616.tif 000005
【図４】
2004191616.tif 000006
【図５】
2004191616.tif 000007